(57)【特許請求の範囲】
【請求項１】
平面視多角形の有底筒状のセルが水平方向に複数配列されるとともに海上に浮くことが可能な基礎ユニットを有する浮体式構造物の基礎部を構築するための浮体式構造物の基礎部の施工システムであって、
予め製作され海上に送り出された前記基礎ユニットの上部にコンクリートを打設する打設ユニットと、
該打設ユニットを揚重可能な揚重ユニットと、
前記セルの内部に着脱可能で前記打設ユニットおよび前記揚重ユニットのいずれか一方を下方から支持するとともに前記揚重ユニットで揚重可能な支持ユニットと、を有することを特徴とする浮体式構造物の基礎部の施工システム。
【請求項２】
前記打設ユニットは、前記セルの筒状の壁部の上部にコンクリートを打設可能なノズルを有し、
前記ノズルは、前記セルの前記壁部の上部に沿って移動可能であることを特徴とする請求項１に記載の浮体式構造物の基礎部の施工システム。
【請求項３】
前記支持ユニットは、上下方向に延在し前記打設ユニットおよび前記揚重ユニットのいずれか一方を連結可能な支柱部と、該支柱部に対して平面視で放射状に突設され水平方向に延在する複数のビームと、を有し、
該複数のビームは、前記セルの内部に配置され、それぞれの先端部が前記セルの筒状の壁部と当接した状態で内側から押し付けられることで前記セルの内部に固定されることを特徴とする請求項１または２に記載の浮体式構造物の基礎部の施工システム。
【請求項４】
前記支柱部は、上下方向に伸縮可能に設けられていることを特徴とする請求項３に記載の浮体式構造物の基礎部の施工システム。
【請求項５】
請求項１乃至４のいずれか一項に記載の浮体式構造物の基礎部の施工システムを用いた浮体式構造物の基礎部の施工方法であって、
前記基礎ユニットを製作して洋上に送り出す基礎ユニット製作工程と、
前記基礎ユニットに前記打設ユニット、前記揚重ユニットおよび前記支持ユニット設置するシステム設置工程と、
該システム設置工程の後に、前記打設ユニットで前記基礎ユニットの上部側のコンクリートを打設する打設工程と、
前記システム設置工程の後に、前記打設ユニットおよび前記支持ユニットを前記揚重ユニットで揚重して他の前記セルの内部へ移動させる移動工程と、を有し、
前記打設工程と前記移動工程とを繰り返して、前記セルごとに前記基礎ユニットの上部側のコンクリートを打設することを特徴とする浮体式構造物の基礎部の施工方法。
【発明の詳細な説明】
【技術分野】
【０００１】
本発明は、浮体式構造物の基礎部の施工システムおよび浮体式構造物の基礎部の施工方法に関する。
【背景技術】
【０００２】
近年、海洋空間を有効に利用することができる浮体式構造物が提案されている（例えば、特許文献１および２参照）。最近では、浮体式構造物として高層建築物や超高層建築物などを構築するという海洋都市の構想もある。
このような浮体式構造物を施工する際には、浮体式構造物を構成する部材を陸上の製作ヤードで製作し、これらの部材を海上輸送して洋上にて連結している。
【先行技術文献】
【特許文献】
【０００３】
【特許文献１】特開２０１０−１０１０３３号公報
【特許文献２】特開２００８−０９５４１７号公報
【発明の概要】
【発明が解決しようとする課題】
【０００４】
ところで、大規模な浮体式構造物の場合、その基礎部は大規模となり、陸上や沿岸の製作ヤードで一度に製作することが困難である。このため、大規模な浮体式構造物では、その基礎部を複数の部材に分けて製作し、これらの部材を海上輸送して洋上にて連結する必要がある。
また、部材全体が大型で製作ヤードでの製作が困難な場合、部材の一部を製作ヤードで製作し、残りを洋上で作製する必要がある。このため、大規模な浮体式構造物の基礎部の施工は、工期およびコストがかかる傾向がある。
【０００５】
本発明は、上述する問題点に鑑みてなされたもので、浮体式構造物の基礎部を効率よく施工することができる浮体式構造物の基礎部の施工システムおよび浮体式構造物の基礎部の施工方法を提供することを目的とする。
【課題を解決するための手段】
【０００６】
上記目的を達成するため、本発明に係る浮体式構造物の基礎部の施工システムは、平面視多角形の有底筒状のセルが水平方向に複数配列されるとともに海上に浮くことが可能な基礎ユニットを有する浮体式構造物の基礎部を構築するための浮体式構造物の基礎部の施工システムであって、予め製作され海上に送り出された前記基礎ユニットの上部にコンクリートを打設する打設ユニットと、該打設ユニットを揚重可能な揚重ユニットと、前記セルの内部に着脱可能で前記打設ユニットおよび前記揚重ユニットのいずれか一方を下方から支持するとともに前記揚重ユニットで揚重可能な支持ユニットと、を有することを特徴とする。
【０００７】
また、本発明に係る浮体式構造物の基礎部の施工方法は、上記の浮体式構造物の基礎部の施工システムを用いた浮体式構造物の基礎部の施工方法であって、前記基礎ユニットを製作して洋上に送り出す基礎ユニット製作工程と、前記基礎ユニットに前記打設ユニット、前記揚重ユニットおよび前記支持ユニット設置するシステム設置工程と、該システム設置工程の後に、前記打設ユニットで前記基礎ユニットの上部側のコンクリートを打設する打設工程と、前記システム設置工程の後に、前記打設ユニットおよび前記支持ユニットを前記揚重ユニットで揚重して他の前記セルの内部へ移動させる移動工程と、を有し、前記打設工程と前記移動工程とを繰り返して、前記セルごとに前記基礎ユニットの上部側のコンクリートを打設することを特徴とする。
【０００８】
本発明では、浮体式構造物の基礎部の施工システムは、打設ユニットを有することにより、陸上や沿岸などの製作ヤードで製作した基礎ユニットをこの基礎ユニットを設置する場所の近傍まで海上搬送し、この場所において打設ユニットを使用して基礎ユニットが所望の高さ寸法となるように予め製作された基礎ユニットの上部にコンクリートを打設できる。
このため、基礎ユニット全体を製作ヤードで製作して海上搬送する場合と比べて基礎ユニットの海上輸送を容易に行うことができる。また、基礎ユニット全体を製作ヤードで製作する場合と比べて、製作ヤードを小規模とすることができ、コストを削減することができる。
【０００９】
また、打設ユニットおよび支持ユニットを揚重可能な揚重ユニットを有することにより、基礎ユニットの内部において同一の打設ユニットおよび支持ユニットを移動させながら基礎ユニットの上部側のコンクリートを打設することができる。これにより、大規模な基礎ユニットであっても大規模な打設ユニットを用意したり多数の打設ユニットを用意したりしなくても基礎ユニット全体のコンクリートの打設を効率よく行うことができる。
【００１０】
また、本発明に係る浮体式構造物の基礎部の施工システムでは、前記打設ユニットは、前記セルの筒状の壁部の上部にコンクリートを打設可能なノズルを有し、前記ノズルは、前記セルの前記壁部の上部に沿って移動可能であることが好ましい。
このように構成されていることにより、セルの壁部の上部に容易にコンクリートを打設することができる。
【００１１】
また、本発明に係る浮体式構造物の基礎部の施工システムでは、前記支持ユニットは、上下方向に延在し前記打設ユニットおよび前記揚重ユニットを連結可能な支柱部と、該支柱部に対して平面視で放射状に突設されそれぞれ水平方向に延在する複数のビームと、を有し、該複数のビームは、前記セルの内部に配置され、それぞれの先端部が前記セルの筒状の壁部と当接した状態で内側から押し付けられることで前記セルの内部に固定されることが好ましい。
このような構成とすることにより、支持ユニットをセルの内部に容易に設置できるとともに、支持ユニットをセルの内部の所望の高さに設置できる。
【００１２】
また、本発明に係る浮体式構造物の基礎部の施工システムでは、前記支柱部は、上下方向に伸縮可能に設けられていることが好ましい。
このような構成とすることにより、支柱部を伸縮させて突出長さを調整することで、打設ユニットおよび揚重ユニットを所望の高さに設置することができる。
【発明の効果】
【００１３】
本発明によれば、浮体式構造物の基礎部を効率よく施工することができる。
【図面の簡単な説明】
【００１４】
【図１】本発明の実施形態による浮体式構造物の一例を示す立面図である。
【図２】浮体式構造物の基礎部を示す平面図である。
【図３】図２のＡ−Ａ線断面図である。
【図４】コア部を説明する平面図である。
【図５】（ａ）は基礎ユニットを示す平面図、（ｂ）は（ａ）の斜視図である。
【図６】本発明の実施形態による浮体式構造物の基礎部の施工システムの一例を示す斜視図である。
【図７】本発明の実施形態による浮体式構造物の基礎部の施工システムの一例を示す立面図である。
【図８】打設ユニットおよび支持ユニットの立面図である。
【図９】図８のＢ−Ｂ線断面図である。
【図１０】図８のＣ方向矢視図である。
【図１１】図８のＤ−Ｄ線断面図である。
【図１２】揚重ユニットを説明する立面図である。
【図１３】ポストが伸長した揚重ユニットを説明する立面図である。
【図１４】図８のＥ−Ｅ線断面図である。
【発明を実施するための形態】
【００１５】
以下、本発明の実施形態による浮体式構造物の基礎部の施工システムおよび施工方法について、図１乃至図１４に基づいて説明する。
図１に示すように、本実施形態による浮体式構造物１は、海上に設けられていて、海上に浮く基礎部２と、基礎部２に付帯する基礎付帯部３と、基礎部２の上部に構築された上部構造体４と、を有している。
基礎付帯部３は、例えば、基礎部２とともに浮力を受けたり、基礎部２を海上において安定した状態に維持したりするために設けられている。
上部構造体４は、タワー状の高層建築物や超高層建築物であり、住空間、オフィス空間、商業施設、公園等のレクリエーション施設等が設けられている。
【００１６】
図２に示すように、本実施形態では、基礎部２は、縁部２ａ側よりも中央部２ｂが下方に突出するように形成されている。
基礎部２は、平面視において中央部２ｂに配置されたコア部２１と、平面視においてコア部２１の外周部に沿った環状に形成された第１外周部２２と、平面視において第１外周部２２の外周部に沿った環状に形成された第２外周部２３と、を有している。
本実施形態には、コア部２１の上部に上部構造体４が構築されている。
【００１７】
コア部２１は、上下方向に連結された４つの基礎構造体２１１Ａ（２００）〜２１１Ｄ（２００）を有している。本実施形態では、４つの基礎構造体２１１Ａ〜２１１Ｄは、平面視形状が同じ略六角形状に形成されている。なお、図２では、省略して４つの基礎構造体２１１Ａ〜２１１Ｄの平面視形状を円形としている。
ここで、４つの基礎構造体２１１Ａ〜２１１Ｄのうち一番下に配置される基礎構造体を第１基礎構造体２１１Ａとし、その上に第２基礎構造体２１１Ｂ、第３基礎構造体２１１Ｃ，第４基礎構造体２１１Ｄの順に配置されているものとする。
図４に示すように、これらの４つの基礎構造体２１１Ａ〜２１１Ｄは、それぞれ水平方向に連結された複数の基礎ユニット５，５…と、連結された複数の基礎ユニット５，５…の外周を囲むように設けられて、第１外周部２２の内側基礎構造体２２１Ａ〜２２１Ｃが連結される連結部６と、を有している。そして、４つの基礎構造体２１１Ａ〜２１１Ｄは、それぞれ複数の基礎ユニット５，５…の外周に連結部６が設けられると、平面視が略六角形状となっている。
【００１８】
図５に示すように、複数の基礎ユニット５，５…は、それぞれ軸方向から見ると略六角形の筒状の壁部７１と、壁部７１の軸方向の一方側に設けられた底部７２とを有する有底筒状の複数のセル７，７…が同一面内に配列されたハニカム構造に形成されている。複数のセル７，７…は、筒状の壁部７１の軸線が上下方向に延び、底部７２が下側となる向きに配置されている。
このような複数の基礎ユニット５，５…は、例えば、フルプレキャストコンクリートなどで製作されている。また、複数の基礎ユニット５，５…は、それぞれ海上に浮くことが可能に構成されている。
本実施形態では、１つの基礎ユニット５を構成する複数のセル７，７…は、一体に形成されてハニカム構造を形成している。なお、１つの基礎ユニット５を構成する複数のセル７，７…は、個々に形成されて、連結されることでハニカム構造を構成していてもよい。
複数の基礎ユニット５，５…は、それぞれ有するセル７，７…の数と配列によって異なる形状に形成されている。
【００１９】
連結部６は、連結された複数の基礎ユニット５，５…の外周全体に沿うように配列された複数のセル７，７…を有している。連結部６と基礎ユニット５との連結には、基礎ユニット５，５どうしの連結と同様に、例えばＰＣ鋼材やグラウト材などが用いられている。なお、連結部６と基礎ユニット５とは、基礎ユニット５，５どうしの連結よりも強固に連結されていることが好ましい。
また、連結部６には、連結される他の基礎構造体２００の連結部６と連結されるためのＰＣ鋼材などの連結手段が設けられていてもよい。
【００２０】
図２および図３に戻り、第１外周部２２は、基礎部２の中央部２ｂ側に配置され上下方向に連結された３つの内側基礎構造体２２１Ａ（２００）〜２２１Ｃ（２００）と、これらの内側基礎構造体２２１Ａ〜２２１Ｃよりも基礎部の縁部２ａ側に配置され上下方向に連結された３つの外側基礎構造体２２２Ａ（２００）〜２２２Ｃ（２００）と、を有している。内側基礎構造体２２１Ａ〜２２１Ｃと、外側基礎構造体２２２Ａ〜２２２Ｃとは連結されている。
ここで、３つの内側基礎構造体２２１Ａ〜２２１Ｃのうち一番下に配置される基礎構造体を第１内側基礎構造体２２１Ａとし、その上に第２内側基礎構造体２２１Ｂ、第３内側基礎構造体２２１Ｃの順に配置されているものとする。また、３つの外側基礎構造体２２２Ａ〜２２２Ｃのうち一番下に配置される基礎構造体を第１外側基礎構造体２２２Ａとし、その上に第２外側基礎構造体２２２Ｂ、第３外側基礎構造体２２２Ｃの順に配置されているものとする。
【００２１】
これらの内側基礎構造体２２１Ａ〜２２１Ｃおよび外側基礎構造体２２２Ａ〜２２２Ｃは、図４に示すコア部２１の基礎構造体２１１Ａ〜２１１Ｄと同様に、それぞれ水平方向に連結された複数の基礎ユニット５，５…と、連結された複数の基礎ユニット５，５…の外周を囲むように設けられて、他の基礎構造体２００が連結される連結部６と、を有している。
【００２２】
内側基礎構造体２２１Ａ〜２２１Ｃおよび外側基礎構造体２２２Ａ〜２２２Ｃの基礎ユニット５，５…は、コア部２１の基礎構造体２１１Ａ〜２１１Ｄの基礎ユニット５と同様の複数のセル７，７…を有するハニカム構造に形成されている。なお、内側基礎構造体２２１Ａ〜２２１Ｃおよび外側基礎構造体２２２Ａ〜２２２Ｃの基礎ユニット５のセル７，７…の数や配列は、それぞれ内側基礎構造体２２１Ａ〜２２１Ｃおよび外側基礎構造体２２２Ａ〜２２２Ｃを構成可能な数や配列に設計されている。
【００２３】
第２外周部２３は、基礎部２の中央部２ｂ側に配置された内側基礎構造体２３１（２００）と、内側基礎構造体２３１よりも基礎部２の縁部２ａ側に配置された中間基礎構造体２３２（２００）と、中間基礎構造体２３２よりも基礎部２の縁部２ａ側に配置された外側基礎構造体２３３（２００）と、を有している。内側基礎構造体２３１と中間基礎構造体２３２とが連結されていて、中間基礎構造体２３２と外側基礎構造体２３３とが連結されている。
【００２４】
これらの内側基礎構造体２３１、中間基礎構造体２３２および外側基礎構造体２３３は、図４に示すコア部２１の基礎構造体２１１Ａ〜２１１Ｄと同様に、それぞれ水平方向に連結された複数の基礎ユニット５，５…と、連結された複数の基礎ユニット５，５…の外周を囲むように設けられて、他の基礎構造体２００が連結される連結部６と、を有している。
【００２５】
内側基礎構造体２３１、中間基礎構造体２３２および外側基礎構造体２３３の基礎ユニット５，５…は、コア部２１の基礎構造体２１１Ａ〜２１１Ｄの基礎ユニット５と同様の複数のセル７，７…を有する構造に形成されている。なお、内側基礎構造体２３１、中間基礎構造体２３２および外側基礎構造体２３３の基礎ユニット５のセル７，７…の数や配列は、それぞれ内側基礎構造体２３１、中間基礎構造体２３２および外側基礎構造体２３３を構成可能な数や配列に設計されている。
【００２６】
次に、上述した基礎ユニット５を施工するための浮体式構造物の基礎部の施工システムについて説明する。
本実施形態による基礎ユニット５は、セル７の底部７２側となる基礎ユニット５の下部側５Ａが陸上または、海岸沿いに設けられた製作ヤードで製作されている。そして、この製作された基礎ユニット５の下部側５Ａは、海上に送り出されて、海上にて基礎ユニット５の下部側５Ａの上端部に、上部側５Ｂのコンクリートが段階的に打設されている。なお、以下の説明において、基礎ユニット５のうち既に製作されている部分を基礎ユニット５Ａとして説明する。
【００２７】
図６および図７に示すように、浮体式構造物の基礎部の施工システム１０は、製作ヤードで製作され海上に送り出された基礎ユニット５Ａ（セル７の底部７２側）の上部にコンクリートを打設するための打設ユニット２０と、打設ユニット２０を揚重可能な揚重ユニット３０と、セル７の内部に着脱可能で打設ユニット２０および揚重ユニット３０をセル７の上部に支持する支持ユニット４０と、を有している。なお、揚重ユニット３０は、支持ユニット４０についても揚重可能である。
【００２８】
図８に示すように、打設ユニット２０は、上下方向に延在し支持ユニット４０の支持支柱部４１０の上部に連結された打設支柱部２１０と、コンクリートが収容されたコンクリート収容部２２０と、コンクリート収容部２２０のコンクリートを基礎ユニット５Ａの上端部に打設するコンクリート打設部２３０と、コンクリート打設部２３０を打設支柱部２１０の軸線回りに回動可能に支持する回動支持部２４０と、有している。
【００２９】
打設支柱部２１０および打設支柱部２１０が連結された支持ユニット４０の支持支柱部４１０の軸線は、支持ユニット４０が設置されたセル７の軸線と重なる位置に配置されている。
図９および図１０に示すように、コンクリート打設部２３０は、セル７の壁部７１の上端部７１ａにコンクリートを打設するノズル２３１が設けられた６つのノズルタンク２３２，２３２…と、それぞれ一方の端部が打設支柱部２１０に連結され他方の端部側が打設支柱部２１０から水平方向に突出し６つのノズルタンク２３２，２３２…をそれぞれ１つずつ支持する６つのノズル支持ビーム２３３，２３３…と、コンクリート収容部２２０のコンクリートを６つのノズルタンク２３２，２３２…へそれぞれ圧送するための６つのフレキシブル管２３４，２３４…と、を有している。
【００３０】
６つのノズル支持ビーム２３３，２３３…は、打設支柱部２１０に対して平面視で放射状に配列されている。
また、６つのノズル支持ビーム２３３，２３３…は、打設支柱部２１０の軸線を中心として少なくとも６０°の間隔を回動可能に構成されている。そして、６つのノズル支持ビーム２３３，２３３…がそれぞれ回動する範囲は、打設支柱部２１０の軸線を中心として６０°ずつずれた位置となるように設定されている。
また、６つのノズル支持ビーム２３３，２３３…は、先端部が打設ユニット２０が設置されたセル７の壁部７１の角部７１ｂ（図９参照）の上部に達する長さに形成されている。
【００３１】
図８および図１１に示すように、回動支持部２４０は、６つのノズル支持ビーム２３３，２３３…をそれぞれ打設支柱部２１０の軸線回りに回動可能に支持している。回動支持部２４０は、ノズル支持ビーム２３３，２３３…の上方に配置され打設支柱部２１０に対して平面視で放射状に突設されそれぞれ水平方向に延在する６つの水平梁２４１，２４１…と、水平梁２４１，２４１…の突出側の先端部と接合され打設支柱部２１０の軸線を中心とする環状に形成された第１曲線梁２４２と、水平梁２４１，２４１…の延在方向の中間部と接合され打設支柱部２１０の軸線を中心とする環状に形成された第２曲線梁２４３と、を有している。
６つの水平梁２４１，２４１…は、打設支柱部２１０の軸線を中心に６０°ずつ間隔をあけるように配置されている。６つの水平梁２４１，２４１…は先端側が、打設支柱部２１０の水平梁２４１，２４１…よりも上方の部分に複数のワイヤ２４４，２４４…によって連結されている。
【００３２】
また、図８および図１０に示すように第１曲線梁２４２の下側には、第１曲線梁２４２に沿って回動可能な６つのプレート２４５，２４５…が設けられている、６つのプレート２４５，２４５…の下部には、それぞれ１つのノズル支持ビーム２３３が接合されている。このため、ノズル支持ビーム２３３，２３３…は、第１曲線梁２４２に上方から支持された状態で回動するように構成されている。
これにより、ノズルタンク２３２，２３２…は、それぞれノズル支持ビーム２３３が打設支柱部２１０の軸線を中心としてそれぞれ回動するとともに、ノズル支持ビーム２３３に沿って移動することによって、打設ユニット２０が設置されたセル７の壁部７１の上端部７１ａ全体にコンクリートを打設できるように構成されている。
また、ノズル支持ビーム２３３，２３３…は、回動支持部２４０に支持されていることにより、安定した状態で打設支柱部２１０の軸線を中心として回動できるように構成されている。
【００３３】
図１２に示すように、揚重ユニット３０は、上下方向に延在し支持ユニット４０の支持支柱部４１０の上部に連結されたポスト３１０と、水平方向に延在しポスト３１０の軸線を中心として旋回可能なジブ３２０と、ジブ３２０に沿って水平方向に移動可能であるとともに上下方向に昇降可能な吊りフック３３０と、を有している。
ポスト３１０およびポスト３１０が連結された支持ユニット４０の支持支柱部４１０の軸線は、支持ユニット４０が設置されたセル７の軸線と重なる位置に配置されている。
【００３４】
また、ポスト３１０は、下側に配置され下端部が支持ユニット４０の支持支柱部４１０に連結された管体３１１と、上側に配置され下部側が管体に挿入可能であるとともに上端部にジブ３２０が連結された柱体３１２と、を有している。管体３１１と柱体３１２とは上下方向に相対移動可能に構成されている。
そして、図１２および図１３に示すように、柱体３１２は、管体３１１に対して所定の高さとなる位置において、管体３１１に固定可能に構成されている。これにより、ポスト３２０は、その高さ寸法を変更することができ、ジブ３２０を所定の高さに支持可能に構成されている。
【００３５】
ジブ３２０は、一方の端部側がポスト３１０の柱体３１２に柱体３１２の軸線回りに回転可能に連結されていて、他方の端部側が揚重ユニット３０が設置されたセル７と隣接するセル７の上方を旋回可能に構成されている。
吊りフック３３０は、打設ユニット２０および支持ユニット４０を係止可能で、吊りフック３３０の昇降およびジブ３２０に沿った水平移動によって打設ユニット２０および支持ユニット４０を所望の位置に移動可能に構成されている。
【００３６】
図８、図１２および図１４に示すように、支持ユニット４０は、上下方向に延在しセル７の軸線上に配置される支持支柱部４１０と、支持支柱部４１０の上部側において支持支柱部４１０に対して平面視で放射状に突設されそれぞれ水平方向に延在する３つの上側ビーム４２０，４２０，４２０と、支持支柱部４１０の下部側において支持支柱部４１０に対して平面視で放射状に突設されそれぞれ水平方向に延在する３つの下側ビーム４３０，４３０，４３０と、を有している。
支持支柱部４１０の上部には、打設ユニット２０の打設支柱部２１０および揚重ユニット３０のポスト３１０が連結可能に構成されている。
【００３７】
３つの上側ビーム４２０，４２０，４２０は、支持支柱部４１０の軸線を中心に１２０°ずつ間隔をあけるように配置されている。上側ビーム４２０，４２０，４２０は、それぞれ水平方向に伸縮可能で、伸長すると先端部がセル７の壁部７１の角部７１ｂの内側まで達するように構成されている。そして、上側ビーム４２０，４２０，４２０には、それぞれセル７の壁部７１を押し付けるように上側ビーム４２０を伸長する方向に付勢する押付手段４２１が設けられている。
【００３８】
３つの下側ビーム４３０，４３０，４３０は、支持支柱部４１０の軸線を中心に１２０°ずつ間隔をあけるように配置されている。下側ビーム４３０，４３０，４３０は、それぞれ水平方向に伸縮可能で、伸長すると先端部がセル７の壁部７１の角部７１ｂの内側まで達するように構成されている。そして、下側ビーム４３０，４３０，４３０には、それぞれセル７の壁部７１を押し付けるように下側ビーム４３０を伸長する方向に付勢する押付手段４３１が設けられている。
【００３９】
そして、支持ユニット４０は、３つの上側ビーム４２０，４２０，４２０および３つの下側ビーム４３０，４３０，４３０それぞれが、押付手段４２１，４３１によってセル７の壁部７１の角部７１ｂを内側から外側に押すことによって、互いに突っ張るようにしてセル７の内部の所定の高さに配置できるように構成されている。
また、セル７には、壁部７１の角部７１ｂの内側で、上側ビーム４２０，４２０，４２０が設置される高さの直下に、内側に突出するコンクリートアゴ７３，７３…がそれぞれ設けられている。そして、これらのコンクリートアゴ７３，７３…の上部には、上側ビーム４２０，４２０，４２０が載置されている。
【００４０】
次に、上述した浮体式構造物の基礎部の施工システム１０を用いた浮体式構造物１の基礎部２の基礎ユニット５の施工方法について説明する。
まず、セル７の底部７２側となる基礎ユニット５Ａを陸上または、海岸沿いに設けられた製作ヤードで製作し、製作された基礎ユニット５Ａを海上に送り出す。
続いて、海上に送り出された基礎ユニット５Ａに浮体式構造物の基礎部の施工システム１０を設置する。基礎ユニット５Ａへの浮体式構造物の基礎部の施工システム１０の設置は、例えば船上に設けられたクレーンなどを使用して行う。本実施形態では、１つの基礎ユニット５に対して、１つの打設ユニット２０、２つの揚重ユニット３０，３０および４つの支持ユニット４０，４０…を設置する。２つの揚重ユニット３０，３０のうちの一方を第１揚重ユニット３０Ａとし、他方を第２揚重ユニット３０Ｂとする。また、４つの支持ユニット４０，４０…は、第１〜第４支持ユニット４０Ａ，４０Ｂ，４０Ｃ，４０Ｄとする。
【００４１】
そして、第１支持ユニット４０Ａをコンクリートの打設を行うセル７の内側に設置し、この第１支持ユニット４０Ａの上部に打設ユニット２０を連結する。また、第２支持ユニット４０Ｂおよび第３支持ユニット４０Ｃをそれぞれセル７の内側に設置し、第２支持ユニット４０Ｂの上部には第１揚重ユニット３０Ａを連結し、第３支持ユニット４０Ｃの上部には第２揚重ユニット３０Ｂを連結する。そして、次にコンクリートの打設を行うセル７の内側に第４支持ユニット４０Ｄを設置する。
このとき、第１揚重ユニット３０Ａおよび第２揚重ユニット３０Ｂの少なくとも一方が揚重可能な範囲に、打設ユニット２０、揚重ユニット３０，３０および支持ユニット４０，４０…を設置する。
【００４２】
続いて、コンクリート収容部２２０から６つのノズルタンク２３２，２３２…それぞれへコンクリートを圧送し、各ノズル２３１，２３１…からセル７の壁部７１の上端部７１ａにコンクリートを打設する。このとき、６つのノズル支持ビーム２３３，２３３…をそれぞれ回動させるともに、ノズルタンク２３２，２３２…をそれぞれノズル支持ビーム２３３，２３３…に沿って移動させて、セル７の壁部７１全体の上端部にコンクリートを打設する。
【００４３】
続いて、第１揚重ユニット３０Ａまたは第２揚重ユニット３０Ｂで打設ユニット２０を揚重し、次にコンクリートの打設を行うセル７の内部に設置された第４支持ユニット４０Ｄの上部に打設ユニット２０を連結する。そして、打設ユニット２０が設置されたセル７の壁部７１の上端部７１ａにコンクリートを打設する。
続いて、第１揚重ユニット３０Ａまたは第２揚重ユニット３０Ｂで第１支持ユニット４０Ａを次にコンクリートの打設を行うセル７の内側に設置する。そして、この第１支持ユニット４０Ａの上部に打設ユニット２０を設置し、打設ユニット２０が設置されたセル７の壁部７１の上端部７１ａにコンクリートを打設する。
このように、打設ユニット２０、第１支持ユニット４０Ａおよび第２支持ユニット４０Ｂを移動させながら全てのセル７の壁部７１の上端部７１ａにコンクリートを打設する。
【００４４】
なお、第１揚重ユニット３０Ａおよび第２揚重ユニット３０Ｂによって基礎ユニット５のセル７，７…全体の内側に、打設ユニット２０、第１支持ユニット４０Ａおよび第２支持ユニット４０Ｂを設置できない場合は、第１揚重ユニット３０Ａおよび第２揚重ユニット３０Ｂの一方の揚重ユニット３０によって他方の揚重ユニット３０を揚重し、この揚重された揚重ユニット３０を第１支持ユニット４０Ａおよび第４支持ユニット４０Ｄのうちの打設ユニット２０が設置されていない支持ユニット４０の上部に連結する。そして、移動させた揚重ユニット３０を使用して、打設ユニット２０および支持ユニット４０の移動を行う。
【００４５】
このように、打設ユニット２０および支持ユニット４０、または打設ユニット２０、揚重ユニット３０および支持ユニット４０を移動させながら全てのセル７の壁部７１の上端部７１ａにコンクリートを打設する。
そして、すべてのセル７の壁部７１の上端部７１ａに段階的にコンクリートを打設し、基礎ユニット５の上部側５Ｂを製作し、所定の高さ寸法の基礎ユニット５が施工される。
なお、上記の打設ユニット２０によるコンクリートの打設は、型枠を配置してコンクリートを打設する一般的な方法でもよいし、ノズル２３１からコンクリートを抽出してセル７の壁部７１の上端部７１ａに盛り付けるような方法でもよい。
【００４６】
また、連結部６についても基礎ユニット５と同様に施工する。まず、連結部６の下部側を製作ヤードで製作し、製作されたこの連結部６の下部側を海上に送り出す。続いて、海上にて浮体式構造物の基礎部の施工システム１０を使用して連結部６の上部側を製作する。
【００４７】
そして、施工された複数の基礎ユニット５，５…および連結部６を連結し、基礎構造体２００を構築する。なお、隣り合う基礎ユニット５，５どうしの連結、および基礎ユニット５と連結部６との連結は、例えばＰＣ鋼材などを用いて行い、隣り合う基礎ユニット５，５の隙間、および基礎ユニット５と連結部６との隙間にグラウト材を充填する。
そして、構築された基礎構造体２００を上下方向および水平方向に連結して基礎部２を構築する。
【００４８】
次に、上述した浮体式構造物の基礎部の施工システム１０および浮体式構造物の基礎部の施工方法の作用・効果について図面を用いて説明する。
上述した本実施形態による浮体式構造物の基礎部の施工システム１０および浮体式構造物の基礎部の施工方法では、予め製作され海上に送り出された基礎ユニット５Ａの上部にコンクリートを打設可能な打設ユニット２０が支持ユニット４０によって基礎ユニット５に支持されることにより、海上にて基礎ユニット５の上部を製作することができる。そして、揚重ユニット３０によって支持ユニット４０および打設ユニット２０を揚重し移動させることができることにより、大規模な基礎ユニット５であっても大規模な打設ユニット２０を用意したり多数の打設ユニット２０を用意したりしなくても基礎ユニット５全体のコンクリートの打設を効率よく行うことができる。
【００４９】
また、ノズルタンク２３２，２３２…は、それぞれノズル支持ビーム２３３，２３３…によって、セル７の壁部７１の上端部７１ａに沿って移動可能に支持されていることにより、セル７の壁部７１の上端部７１ａに容易にコンクリートを打設することができる。
また、支持ユニット４０は、上側ビーム４２０，４２０，４２０および下側ビーム４３０，４３０，４３０が、セル７の内部に配置され、それぞれの先端部がセル７の壁部７１と当接した状態で内側から押して突っ張ることでセル７の内部に固定されることにより、支持ユニット４０をセル７の内部に容易に設置できるとともに、支持ユニット４０をセル７の内部の所望の高さに設置できる。
このように、本実施形態による浮体式構造物の基礎部の施工システム１０および浮体式構造物の基礎部の施工方法では、浮体式構造物１の基礎部２を効率よく施工することができる。
【００５０】
以上、本発明による浮体式構造物の基礎部の施工システム１０および浮体式構造物の基礎部の施工方法の実施形態について説明したが、本発明は上記の実施形態に限定されるものではなく、その趣旨を逸脱しない範囲で適宜変更可能である。
例えば、上記の実施形態では、セル７，７…は平面視六角形の有底筒状に形成されているが、平面視六角形以外の例えば平面視三角形や四角形などの平面視多角形の有底筒状に形成されていてもよい。
【００５１】
また、上記の実施形態では、基礎部２は、コア部２１、第１外周部２２および第２外周部２３から構成されているが、このような構成でなくてもよい。基礎部２は、平面形状や高さ寸法に合わせて、複数の基礎ユニット５，５…および連結部６が連結された基礎構造体２００，２００…が組み合わされて構成されていればよい。
また、上記の実施形態では、基礎構造体２００は、基礎ユニット５，５…と連結部６とを有しているが、連結部６を有さないで、基礎ユニット５の外周部に他の基礎構造体２００の基礎ユニット５が連結される構成であってもよい。
【００５２】
また、上記の実施形態では、浮体式構造物の基礎部の施工システム１０は、打設ユニット２０、揚重ユニット３０および支持ユニット４０を有しているが、打設ユニット２０は基礎ユニット５のセル７の壁部７１の上端部７１ａにコンクリートを打設可能に構成され、揚重ユニット３０は打設ユニット２０、支持ユニット４０を揚重可能に構成され、支持ユニット４０は打設ユニット２０および揚重ユニット３０を基礎ユニット５に支持可能に構成されていれば、それぞれを構成する部材や部材の数などは上記以外のものであってもよい。
【００５３】
例えば、上記の実施形態では、打設ユニット２０には、それぞれノズルタンク２３２を支持する６つのノズル支持ビーム２３３，２３３…が設けられているが、打設ユニット２０に設けられるノズル支持ビーム２３３の数は６つ以外でもよい。また、上記の実施形態では、ノズル支持ビーム２３３が打設支柱部２１０の軸線を中心として回動し、ノズルタンク２３２がノズル支持ビーム２３３に沿って移動することで、ノズルタンク２３２のノズル２３１が所定の位置に到達するように構成されているが、ノズルタンク２３２が移動する機構は上記以外であってもよい。
また、上記の実施形態では、回動支持部２４０には、６つの水平梁２４１，２４１…が設けられていて、６つの水平梁２４１，２４１…が打設支柱部２１０の軸線を中心に６０°ずつ間隔をあけるように配置されているが、回動支持部２４０に設けられる水平梁２４１の数は６つ以外でもよく、また、打設支柱部２１０の軸線を中心に隣り合う水平梁２４１，２４１の間隔は６０°以外でもよい。
また、支持ユニット４０の支持支柱部４１０は、上下方向に伸縮可能に設けられていてもよい。このような構成とすることにより、支持支柱部４１０を伸縮させて突出長さを調整することで、打設ユニット２０および揚重ユニット３０を所望の高さに設置することができる。
【符号の説明】
【００５４】
１  浮体式構造物
２  基礎部
３  基礎付帯部
４  上部構造体
５，５Ａ  基礎ユニット
６  連結部
７  セル
１０  浮体式構造物の基礎部の施工システム
２０  打設ユニット
３０  揚重ユニット
４０  支持ユニット
４１０  支持支柱部（支柱部）
４２０  上側ビーム（ビーム）
４３０  下側ビーム（ビーム）
４２１，４３１  押付手段
７１  壁部
２３１  ノズル
【図１】
0006464474.tif 000002
【図２】
0006464474.tif 000003
【図３】
0006464474.tif 000004
【図４】
0006464474.tif 000005
【図５】
0006464474.tif 000006
【図６】
0006464474.tif 000007
【図７】
0006464474.tif 000008
【図８】
0006464474.tif 000009
【図９】
0006464474.tif 000010
【図１０】
0006464474.tif 000011
【図１１】
0006464474.tif 000012
【図１２】
0006464474.tif 000013
【図１３】
0006464474.tif 000014
【図１４】
0006464474.tif 000015